(57)【要約】【課題】ドレンパンの内部の菌の繁殖を抑制する。【解決手段】ドレンパン（41）は、ドレンパン（41）の少なくとも一部を構成し、光源（80）が発する紫外光が透過する透光性部材（T）を備える。透光性部材（T）は、ドレンパン（41）の内部に露出するとともに透光性部材（T）を透過した紫外光が発せられる発光面（61）を有する。【選択図】図２
2020134065.tif 000002
【特許請求の範囲】
【請求項１】
水を受けるドレンパンであって、
前記ドレンパン（41）の少なくとも一部を構成し、光源（80）が発する紫外光が透過する透光性部材（T）を備え、
前記透光性部材（T）は、前記ドレンパン（41）の内部に露出するとともに該透光性部材（T）を透過した紫外光が発せられる発光面（61）を有することを特徴とするドレンパン。
【請求項２】
請求項１において、
前記透光性部材（T）は、前記ドレンパン（41）の底部（42）に設けられ、
前記透光性部材（T）の発光面（61）は、前記ドレンパン（41）の底面（42a）を構成していることを特徴とするドレンパン。
【請求項３】
請求項１又は２において、
前記ドレンパン（41）の内部に露出する光触媒（70）を備えていることを特徴とするドレンパン。
【請求項４】
請求項３において、
前記光触媒（70）は、前記発光面（61）に設けられることを特徴とするドレンパン。
【請求項５】
請求項１乃至４のいずれか１つにおいて、
前記透光性部材（T）は、石英、又は透光性を有する樹脂材料で構成されることを特徴とするドレンパン。
【請求項６】
ドレンパンユニットであって、
請求項１乃至５のいずれか１つに記載のドレンパン（41）と、
前記ドレンパン（41）の透光性部材（T）を透過する紫外光を発する光源（80）とを備えたドレンパンユニット。
【請求項７】
請求項６において、
前記光源（80）は、前記透光性部材（T）の側方に配置され、
前記透光性部材（T）は、前記ドレンパン（41）の底部（42）に設けられ、
前記透光性部材（T）は、該透光性部材（T）の側方から入射した紫外光を前記発光面（61）側に導く導光部材（60）であることを特徴とするドレンパンユニット。
【請求項８】
請求項７において、
前記導光部材（60）における前記発光面（61）と逆側の面（61a）に重なるように配置され、紫外光を反射する反射板（50）を備えていることを特徴とするドレンパンユニット。
【請求項９】
請求項８において、
前記反射板（50）は、前記ドレンパン（41）を兼用していることを特徴とするドレンパンユニット。
【請求項１０】
請求項６において、
前記透光性部材（T）は、前記ドレンパン（41）の底部（42）に設けられ、
前記光源（80）は、前記ドレンパン（41）の底部（42）の内部、又は該底部（42）の裏側に配置されることを特徴とするドレンパンユニット。
【請求項１１】
請求項６乃至１０のいずれか１つにおいて、
前記ドレンパン（41）内の水を吸引するポンプ（51）を備え、
前記透光性部材（T）の発光面（61）は、前記ポンプ（51）に対向していることを特徴とするドレンパンユニット。
【請求項１２】
熱交換器（32）と、
前記熱交換器（32）で凝縮した水を受けるドレンパンユニット（40）とを備えた空気調和装置であって、
前記ドレンパンユニット（40）が、請求項６乃至１１のいずれか１つの記載のドレンパンユニット（40）であることを特徴とする空気調和装置。
【発明の詳細な説明】
【技術分野】
【０００１】
本開示は、ドレンパン、ドレンパンユニット、及び空気調和装置に関する。
【背景技術】
【０００２】
特許文献１には、ドレンパンを有する空気調和装置が開示されている。空気調和装置では、室内機の熱交換器の下方にドレンパンが配置される。熱交換器付近で発生した凝縮水はドレンパンに受けられる。
【先行技術文献】
【特許文献】
【０００３】
【特許文献１】特開２０１３−１６０４３８号公報
【発明の概要】
【発明が解決しようとする課題】
【０００４】
ドレンパンの内部では、カビや微生物などの菌が繁殖し易い。このため、ドレンパンの内部が汚れてしまうという問題がある。
【０００５】
本開示は、ドレンパンの内部の菌の繁殖を抑制することである。
【課題を解決するための手段】
【０００６】
第１の態様は、水を受けるドレンパンであって、前記ドレンパン（41）の少なくとも一部を構成し、光源（80）が発する紫外光が透過する透光性部材（T）を備え、前記透光性部材（T）は、前記ドレンパン（41）の内部に露出するとともに該透光性部材（T）を透過した紫外光が発せられる発光面（61）を有することを特徴とするドレンパンである。
【０００７】
第１の態様では、光源（80）から発せられた紫外光が透光性部材（T）を透過する。紫外光は、透光性部材（T）の発光面（61）からドレンパン（41）の内部に照射される。
【０００８】
第２の態様は、第１の態様において、前記透光性部材（T）は、前記ドレンパン（41）の底部（42）に設けられ、前記透光性部材（T）の発光面（61）は、前記ドレンパン（41）の底面（42a）を構成していることを特徴とするドレンパンである。
【０００９】
第２の態様では、透光性部材（T）を透過した紫外光が、ドレンパン（41）の底面（42a）である発光面（61）からドレンパン（41）の内部に照射される。
【００１０】
第３の態様は、第１又は第２の態様のいずれか１つにおいて、前記ドレンパン（41）の内部に露出する光触媒（70）を備えていることを特徴とするドレンパンである。
【００１１】
第３の態様では、ドレンパン（41）の内部に照射された紫外光によって、光触媒（70）の酸化分解作用が促進される。
【００１２】
第４の態様は、第３の態様において、前記光触媒（70）は、前記発光面（61）に設けられることを特徴とするドレンパンである。
【００１３】
第４の態様では、光触媒（70）に紫外光が直接的に当たりやすくなる。
【００１４】
第５の態様は、第１乃至４の態様のいずれか１つにおいて、前記透光性部材（T）は、石英、又は透光性を有する樹脂材料で構成されることを特徴とするドレンパンである。
【００１５】
第６の態様は、ドレンパンユニットであって、第１乃至第５のいずれか１つの態様のドレンパン（41）と、前記ドレンパン（41）の透光性部材（T）を透過する紫外光を発する光源（80）とを備えたドレンパンユニットである。
【００１６】
第７の態様は、第６の態様において、前記光源（80）は、前記透光性部材（T）の側方に配置され、前記透光性部材（T）は、前記ドレンパン（41）の底部（42）に設けられ、前記透光性部材（T）は、該透光性部材（T）の側方から入射した紫外光を前記発光面（61）側に導く導光部材（60）であることを特徴とするドレンパンユニットである。
【００１７】
第７の態様では、透光性部材（T）の側方から入射された紫外光が、導光部材（60）によって発光面（61）に導かれる。
【００１８】
第８の態様は、第７の態様において、前記導光部材（60）における前記発光面（61）と逆側の面（61a）に重なるように配置され、紫外光を反射する反射板（50）を備えていることを特徴とするドレンパンユニットである。
【００１９】
第８の態様は、導光部材（60）の内部を透過する紫外光が、導光部材（60）の逆側の面（61a）から漏れることを反射板（50）によって抑制できる。反射板（50）によって反射された紫外光を発光面（61）側に導くことができる。
【００２０】
第９の態様は、第８の態様において、前記反射板（50）は、前記ドレンパン（41）を兼用していることを特徴とするドレンパンユニットである。
【００２１】
第１０の態様は、第６の態様において、前記透光性部材（T）は、前記ドレンパン（41）の底部（42）に設けられ、前記光源（80）は、前記ドレンパン（41）の底部（42）の内部、又は該底部（42）の裏側に配置されることを特徴とするドレンパンユニットである。
【００２２】
第１０の態様では、ドレンパン（41）の内部、又はドレンパン（41）の底部（42）の裏側の光源（80）から発せられた紫外光が、透光性部材（T）を透過し、発光面（61）からドレンパン（41）の内部に照射される。
【００２３】
第１１の態様は、第６乃至第１０の態様のいずれか１つにおいて、前記ドレンパン（41）内の水を吸引するポンプ（51）を備え、前記透光性部材（T）の発光面（61）は、前記ポンプ（51）に対向していることを特徴とするドレンパンユニットである。
【００２４】
第１１の態様では、ポンプ（51）に紫外光が照射されることで、ポンプ（51）の周囲の殺菌が促進される。
【００２５】
第１２の態様は、熱交換器（32）と、前記熱交換器（32）で凝縮した水を受けるドレンパンユニット（40）とを備えた空気調和装置であって、前記ドレンパンユニット（40）が、第６乃至第１１の態様のいずれか１つのドレンパンユニット（40）であることを特徴とする空気調和装置である。
【図面の簡単な説明】
【００２６】
【図１】図１は、実施形態に係る空気調和装置の概略構成を示す配管系統図である。
【図２】図２は、実施形態に係るドレンパンユニットの概略構成を示す縦断面図である。
【図３】図３は、実施形態に係るドレンパンユニットの概略構成を示す平面図である。
【図４】図４は、実施形態に係るドレンパンユニットの透光性部材を拡大し、模式的に表した縦断面図である。
【図５】図５は、変形例１に係るドレンパンユニットの概略構成を示す縦断面図である。
【図６】図６は、変形例２に係るドレンパンユニットの概略構成を示す縦断面図である。
【図７】図７は、変形例３に係るドレンパンユニットの概略構成を示す縦断面図である。
【図８】図８は、変形例４に係るドレンパンユニットの概略構成を示す縦断面図である。
【図９】図９は、変形例４に係るドレンパンユニットの概略構成を示す縦断面図である。
【図１０】図１０は、その他の実施形態に係るドレンパンユニットの透光性部材を拡大し、模式的に表した縦断面図である。
【発明を実施するための形態】
【００２７】
以下、本開示の実施形態について図面を参照しながら説明する。なお、以下の実施形態は、本質的に好ましい例示であって、本発明、その適用物、あるいはその用途の範囲を制限することを意図するものではない。
【００２８】
本開示のドレンパン（41）は、ドレンパンユニット（40）に備えられる。ドレンパンユニット（40）は、空気調和装置（1）に適用される。
【００２９】
〈空気調和装置の構成〉
図１に模式的に示すように、空気調和装置（1）は、１つの室外ユニット（20）と１つの室内ユニット（30）とを有する、いわゆるペア式である。室外ユニット（20）は、室外に設置される。室内ユニット（30）は、室内に設置される。室内ユニット（30）は、例えば壁面に取り付けられる壁掛け式である。
【００３０】
空気調和装置（1）は、冷媒回路（10）を備える。冷媒回路（10）では、充填された冷媒が循環することで冷凍サイクルが行われる。冷媒回路（10）は、室外回路（21）と室内回路（31）とを含む。室外回路（21）と室内回路（31）とは、２本の連絡配管（11,12）を介して互いに接続される。
【００３１】
室外回路（21）は、圧縮機（22）と、室外熱交換器（23）と、膨張弁（24）と、四方切換弁（25）とを有する。圧縮機（22）は、吸入した冷媒を圧縮し、圧縮した冷媒を吐出する。室外熱交換器（23）は、冷媒と室外空気とを熱交換させる。室外熱交換器（23）の近傍には、室外ファン（26）が設置される。室外ファン（26）は、室内空気をする。搬送された気は、室外熱交換器（23）を通過する。膨張弁（24）は、開度が可変な制御弁である。膨張弁（24）は、電子膨張弁で構成される。膨張弁（24）は、室内回路（31）の液ラインに接続してもよい。
【００３２】
四方切換弁（25）は、第１ポート（P1）、第２ポート（P2）、第３ポート（P3）、及び第４ポート（P4）を有する。第１ポート（P1）は、圧縮機（22）の吐出部と連通する。第２ポート（P2）は、ガス側の連絡配管（11）と連通する。第３ポート（P3）は、圧縮機（22）の吸入部と連通する。第４ポート（P4）は、室外熱交換器（23）のガス端部と連通する。四方切換弁（25）は、第１状態（図１の実線で示す状態）と、第２状態（図１の破線で示す状態）とに切り換わる。第１状態の四方切換弁（25）は、第１ポート（P1）と第４ポート（P4）とを連通させ且つ第２ポート（P2）と第３ポート（P3）とを連通させる。第２状態の四方切換弁（25）は、第１ポート（P1）と第２ポート（P2）とを連通させ且つ第３ポート（P3）と第４ポート（P4）とを連通させる。
【００３３】
室内回路（31）は、室内熱交換器（32）を有する。室内熱交換器（32）は、冷媒と室内空気とを熱交換させる。室内熱交換器（32）の近傍には、室内ファン（33）が設置される。室内ファン（33）は、室内空気を搬送する。搬送された室内空気は、室内熱交換器（32）を通過する。室内熱交換器（32）の下方には、ドレンパンユニット（40）が設けられる。
【００３４】
−運転動作−
空気調和装置（1）は冷房運転と暖房運転とを行う。
【００３５】
〈冷房運転〉
冷房運転では、四方切換弁（25）が第１状態となる。圧縮機（22）で圧縮された冷媒は、室外熱交換器（23）で放熱ないし凝縮する。放熱ないし凝縮した冷媒は、膨張弁（24）で減圧された後、室内熱交換器（32）を流れる。室内熱交換器（32）では、冷媒が室内空気から吸熱して蒸発する。室内熱交換器（32）で冷却された室内空気は、室内空間へ供給される。蒸発した冷媒は圧縮機（22）に吸入される。冷房運転では、室内熱交換器（32）付近では、凝縮水が発生する。凝縮水は、ドレンパン（41）の内部に受けられる。
【００３６】
〈暖房運転〉
暖房運転では、四方切換弁（25）が第２状態となる。圧縮機（22）で圧縮された冷媒は、室内熱交換器（32）を流れる。室内熱交換器（32）では、冷媒が室内空気に放熱して凝縮する。室内熱交換器（32）で加熱された室内空気は、室内空間へ供給される。凝縮した冷媒は、膨張弁（24）で減圧された後、室外熱交換器（23）で蒸発する。蒸発した冷媒は圧縮機（22）に吸入される。
【００３７】
〈ドレンパンユニット〉
空気調和装置（1）は、ドレンパンユニット（40）を備えている。本例のドレンパンユニット（40）は、室内熱交換器（32）の下方に配置される。図２及び図３に示すように、ドレンパンユニット（40）は、ドレンパン（41）と光源（80）とを備えている。本例の光源（80）は、ドレンパン（41）の側方に配置される。
【００３８】
ドレンパン（41）は、水を受けるトレーを構成している。ドレンパン（41）は、底壁（42）と４つの側壁（43A,43B,43C,43D）とを備えている。底壁（42）は、ドレンパン（41）の底部を構成する。底壁（42）は、横長の矩形状に形成される。４つの側壁（43A,43B,43C,43D）は、底壁（42）の周囲を囲むように配置される。各側壁（43A,43B,43C,43D）は、底壁（42）の周縁部から上方に延びている。第１側壁（43A）は、底壁（42）の長手方向の一方の側端に設けられる。第２側壁（43B）は、底壁（42）の長手方向の他端の側端に設けられる。第３側壁（43C）は、底壁（42）の幅方向の一方の側端に設けられる。第４側壁（43D）は、底壁（42）の幅方向の他方の側端に設けられる。これらの４つの側壁（43A,43B,43C,43D）は、平面視において矩形枠状に形成される。ドレンパン（41）の内部には、底壁（42）及び４つの側壁（43A,43B,43C,43D）の間に水受け用の内部空間（45）が形成される。内部空間（45）には、凝縮水が溜められる。
【００３９】
本例の底壁（42）は、反射板（50）と導光部材（60）とを含んでいる。反射板（50）と導光部材（60）とは、平面視において互いに等しい矩形状に形成される。反射板（50）は、導光部材（60）の下方に配置される。反射板（50）と導光部材（60）とは厚さ方向に重ねられる。換言すると、反射板（50）は、導光部材（60）における発光面（61）と逆側の面（61a）に重なっている。反射板（50）の厚みは、導光部材（60）の厚みよりも小さい。
【００４０】
反射板（50）は、例えばアルミニウムやステンレスなどの金属材料で構成される。反射板（50）は、少なくとも上側に反射面を有する。反射板（50）は、ドレンパン（41）の内部に向かって光を反射する材料であるのが好ましい。
【００４１】
導光部材（60）は、紫外光を透過する透光性部材（T）を構成している。本例の透光性部材（T）は、石英で構成される。透光性部材（T）は、透光性を有する樹脂材料であってもよい。透光性を有する樹脂材料としては、例えばアクリル系樹脂、シリコーン系樹脂、エポキシ樹脂などがある。
【００４２】
導光部材（60）の少なくとも一部は、ドレンパン（41）の内部空間（45）に露出している。換言すると、導光部材（60）には、ドレンパンの内部に露出する露出面が形成される。この露出面が、紫外光を発する発光面（61）を構成している。発光面（61）は、ドレンパン（41）の底面（42a）を構成している。
【００４３】
光源（80）は、紫外光を発する紫外光発生装置で構成される。本例の光源（80）は、ドレンパン（41）の外部に配置される。光源（80）は、ドレンパン（41）の導光部材（60）の側方であって、該導光部材（60）の近傍に配置される。具体的には、光源（80）は，導光部材（60）のうち第１側壁（43A）の下方に位置する部分に近接している。
【００４４】
図３に示すように、本例では、導光部材（60）の近傍に２つの光源（80）が配置される。光源（80）の数は、これに限らず１つ又は３つ以上であってもよい。複数の光源（80）は、等間隔置きに配列するのが好ましい。光源（80）は、導光部材（60）の内部に向かって紫外線を照射する。光源（80）から発する紫外光の照射方向は、導光部材（60）を向いている。
【００４５】
導光部材（60）は、入射した紫外光を所定方向に導く導光板を構成している。導光部材（60）は、入射した紫外光の方向を発光面（61）側に導く特性を有する。導光部材（60）の下面には、複数の凹部（62）及び複数の凸部（63）が配列されている。導光部材（60）の内部を側方に透過する紫外光は、凹部（62）及び凸部（63）において反射する。紫外光の反射により、ドレンパン（41）の内部へ向かう紫外光が生成される。加えて、導光部材（60）の下側に向かう紫外光は、反射板（50）によってドレンパン（41）の内部へ向かうように反射する。このようなドレンパン（41）の構成により、導光部材（60）の発光面（61）からドレンパン（41）の内部に向かって紫外光が発せられる。
【００４６】
−紫外光による浄化作用−
光源（80）がＯＮ状態になると、光源（80）から発生される紫外光は、導光部材（60）の内部を側方に透過する。この紫外光は、上述したように、凹部（62）、凸部（63）、及び反射板（50）によって向きが変えられ、ドレンパン（41）の底面（42a）に向かう。この紫外光は、導光部材（60）の発光面（61）からドレンパン（41）の内部へ照射される。換言すると、紫外光は、ドレンパン（41）の底面（42a）からドレンパン（41）の内部へ照射される。この結果、紫外光による殺菌作用により、ドレンパン（41）の内部での菌の繁殖が抑制される。
【００４７】
−実施形態の効果−
実施形態は、水を受けるドレンパン（41）であって、前記ドレンパン（41）の少なくとも一部を構成し、光源（80）が発する紫外光が透過する透光性部材（T）を備え、前記透光性部材（T）は、前記ドレンパン（41）の内部に露出するとともに該透光性部材（T）を透過した紫外光が発せられる発光面（61）を有する。
【００４８】
この形態により、光源（80）から発生される紫外光をドレンパン（41）の内部の発光面（61）から発することができる。ドレンパン（41）の内部に紫外光の発光面（61）を形成することで、発光面（61）における殺菌効果が高まり、発光面（61）におけるカビや微生物膜の発生を抑制できる。このため、例えばポンプや排水口などの詰まりを回避できるとともに、悪臭の発生も抑制できる。
【００４９】
実施形態は、透光性部材（T）は、前記ドレンパン（41）の底壁（42）に設けられ、前記透光性部材（T）の発光面（61）は、前記ドレンパン（41）の底面（42a）を構成している。
【００５０】
この形態により、ドレンパン（41）の底面（42a）から紫外線を発光させることができるため、ドレンパン（41）の底面（42a）における殺菌効果を向上できる。加えて、透光性部材（T）は、ドレンパン（41）の底壁（42）を兼用するため部品点数を削減できる。
【００５１】
実施形態は、前記光源（80）が前記透光性部材（T）の側方に配置され、前記透光性部材（T）は、該透光性部材（T）の側方から入射した紫外光を前記発光面（61）側に導く導光部材（60）である。
【００５２】
この形態により、光源（80）を導光部材（60）の側方に配置しながら、ドレンパン（41）の底面（42a）である発光面（61）から紫外光を照射できる。この光源（80）の配置により、光源（80）に凝縮水がかかることを回避できる。加えて、光源（80）の高さ方向の設置スペースを低減できる。
【００５３】
実施形態では、前記導光部材（60）における前記発光面（61）と逆側の面（61a）に重なるように配置され、紫外光を反射する反射板（50）を備えている。
【００５４】
この形態により、側方から導光部材（60）の内部を透過する紫外光が、導光部材（60）の下方に漏れてしまうことを抑制できる。加えて、導光部材（60）の下方に向かう紫外光を上方に反射させ、発光面（61）側に導くことができる。
【００５５】
−実施形態の変形例−
上記実施形態については、次のような変形例の構成としてもよい。
【００５６】
〈変形例１〉
図５に示すように、変形例１のドレンパン（41）は、ドレンパン本体（46）と、ドレンパン本体（46）の底に設置される導光部材（60）とを備えている。
【００５７】
ドレンパン本体（46）は、ステンレスやアルミニウムなどの金属材料で構成される。ドレンパン本体（46）は、上側に開放面が形成される皿状ないし扁平な箱状に形成される。ドレンパン本体（46）は、上記実施形態と同様、４つの側壁（43A,43B,43C,43D）を有している。
【００５８】
ドレンパン本体（46）には、反射板（50）を兼用する底板（47）が形成される。底板（47）の上面には導光部材（60）が重ねられる。底板（47）及び導光部材（60）は、ドレンパン（41）の底壁（42）（底部）を構成している。導光部材（60）の上面には、ドレンパン（41）の内部に露出する発光面（61）が形成される。
【００５９】
本例の光源（80）は、ドレンパン（41）の内部に設けられる。具体的には、光源（80）は、第１側壁（43A）の内部に埋設している。光源（80）は、導光部材（60）の側方に配置される。光源（80）は、導光部材（60）の側端に対向している。光源（80）は、導光部材（60）に向かって紫外光を照射する。導光部材（60）には、上記実施形態と同様、複数の凹部（62）及び複数の凸部（63）が形成される。
【００６０】
光源（80）から照射された紫外光は、導光部材（60）の内部を透過する。導光部材（60）の内部では、凹部（62）及び凸部（63）によって紫外光が反射される。加えて、紫外光は、底板（47）を兼用する反射板（50）によって反射される。反射された紫外光は、上方に向きを変え、発光面（61）からドレンパン（41）の内部に発せられる。この結果、ドレンパン（41）の内部が殺菌される。
【００６１】
変形例１では、ドレンパン（41）の一部である底板（47）が反射板（50）を兼用しているため、部品点数を削減できる。
【００６２】
〈変形例２〉
図６に示すように、変形例２のドレンパン（41）の底壁（42）には、下方に凹んだドレンパン凹部（48）が形成される。ドレンパン凹部（48）は、第１側壁（43A）の下部と、第５側壁（43E）と、凹部側底部（48）とを含んでいる。第５側壁（43E）は、第１壁（43A）に対向している。凹部側底部（48）は、ドレンパン凹部（62）の底部を構成している。第１側壁（43A）、第５側壁（43E）、及び凹部側底部（48）の間には、ポンプ（51）が収容される。ポンプ（51）は、ドレンパン（41）の内部の水を汲み上げる。
【００６３】
変形例２では、凹部側底部（48）に導光部材（60）及び反射板（50）が設けられる。反射板（50）は、導光部材（60）の下面に積層される。導光部材（60）は、ドレンパン（41）の内部に露出する発光面（61）を有する。発光面（61）は、ドレンパン（41）のドレンパン凹部（48）における底面（42a）を構成している。発光面（61）は、上方を向いている。発光面（61）は、ポンプ（51）に対向している。光源（80）は、ドレンパン（41）の外部であって、凹部側底部（48）の側方に配置される。光源（80）は、第１側壁（43A）に近接している。
【００６４】
変形例２では、光源（80）から照射された紫外光が、凹部側底部（48）の導光部材（60）の内部を透過する。この紫外光は、凹部（62）、凸部（63）、及び反射板（50）によって反射され、ドレンパン（41）の内部に向かう。この結果、凹部側底部（48）の底面（42a）（即ち、発光面（61））から紫外光が発せられる。発光面（61）から発せられた紫外光は、ドレンパン（41）の内部の殺菌などに利用される。
【００６５】
変形例２は、ドレンパン（41）内の水を吸引するポンプ（51）を備え、透光性部材（T）の発光面（61）は、前記ポンプ（51）に対向している。
【００６６】
この形態では、発光面（61）から発せられる紫外光をポンプ（51）に照射できるので、ポンプ（51）の周囲でのカビや微生物膜の繁殖を抑制できる。特に本形態では、発光面（61）がポンプ（51）の吸込口（51a）に対向しているため、吸込口（51a）の周囲でのカビや微生物膜の繁殖を抑制できる。これにより、ポンプ（51）の吸込口（51a）が詰まることを抑制できる。
【００６７】
〈変形例３〉
図７に示すように、変形例３のドレンパン（41）の底壁（42）には、ドレンパン凹部（48）が形成される。変形例３では、ドレンパン凹部（48）の第５側壁（43E）が透光性部材（T）で構成される。透光性部材（T）は、実施形態１や２のように、紫外光の方向を変更できなくてもよい。第５側壁（43E）の内側側面には、ドレンパン（41）の内部に露出する露出面が形成される。この露出面が発光面（61）を構成している。発光面（61）は、ポンプ（51）に対向している。
【００６８】
光源（80）は、ドレンパン（41）の外部であって、第５側壁（43E）の側方に配置される。光源（80）は、第５側壁（43E）に近接している。
【００６９】
変形例３では、光源（80）から照射された紫外光が、透光性部材（T）を厚さ方向に透過する。この結果、第５側壁（43E）の発光面（61）から紫外光が発せられる。発光面（61）から発せられた紫外光は、ドレンパン（41）の内部の殺菌等に利用される。加えて、紫外光は、ドレンパン（41）の周囲の殺菌等に利用される。
【００７０】
変形例３では、透光性部材（T）の厚さ方向の一方の面に発光面（61）を形成している。光源（80）は、透光性部材（T）の厚さ方向の他方の面に近接している。このため、透光性部材（T）を通過する紫外光の距離を最小限に抑えることができ、発光面（61）から発せられる紫外光の強度を増大できる。
【００７１】
〈変形例４〉
図８に示すように、変形例４では、ドレンパン（41）の底壁（42）が透光性部材（T）で構成される。透光性部材（T）は、紫外光の方向を変更できる導光部材でなくてもよい。透光性部材（T）の上面には、ドレンパン（41）の内部に露出する発光面（61）が形成される。
【００７２】
変形例４の光源（80）は、ドレンパン（41）の底壁（42）の裏側に配置される。具体的には、ドレンパン（41）は、ドレンパン（41）の外部であって、底壁（42）の下方に配置される。光源（80）は、底壁（42）に近接している。本例では、複数の光源（80）がドレンパン（41）の裏面に沿うように配列される。
【００７３】
光源（80）は、透光性部材（T）に向かって上方に紫外光を照射する。紫外光は、透光性部材（T）を厚さ方向に通過し、発光面（61）から上方に発せられる。この結果、ドレンパン（41）の内部が殺菌される。
【００７４】
変形例４では、透光性部材（T）がドレンパン（41）の底壁（42）を兼用している。このため、部品点数を削減できる。
【００７５】
変形例４では、透光性部材（T）の厚さ方向の一方の面（上面）に発光面（61）を形成している。光源（80）は、透光性部材（T）の厚さ方向の他方の面（下面）に近接している。このため、透光性部材（T）を通過する紫外光の距離を最小限に抑えることができ、発光面（61）から発せられる紫外光の強度を増大できる。
【００７６】
〈変形例５〉
図９に示すように、変形例５では、ドレンパン（41）の底壁（42）が透光性部材（T）で構成される。透光性部材（T）は、紫外光の方向を変更できる導光部材でなくてもよい。透光性部材（T）の上面には、ドレンパン（41）の内部に露出する発光面（61）が形成される。
【００７７】
変形例５の光源（80）は、ドレンパン（41）の底壁（42）の内部に配置される。換言すると、光源（80）は底壁（42）に埋設される。光源（80）は上方に裏側に配置される。光源（80）の照射方向は上方を向いている。
【００７８】
光源（80）は、透光性部材（T）に向かって上方に紫外光を照射する。紫外光は、透光性部材（T）を厚さ方向に通過し、発光面（61）から上方に発せられる。この結果、ドレンパン（41）の内部が殺菌される。本例では、複数の光源（80）がドレンパン（41）の裏面に沿うように配列される。
【００７９】
変形例５では、透光性部材（T）がドレンパン（41）の底壁（42）を兼用している。このため、部品点数を削減できる。
【００８０】
変形例５では、光源（80）から発光面（61）までの距離が比較的短いため、発光面（61）から発せられる紫外光の強度を増大できる。
【００８１】
《その他の実施形態》
上述した全ての形態においては、以下のような構成としてもよい。
【００８２】
図１０に示すように、ドレンパン（41）は、ドレンパン（41）の内部に露出する光触媒（70）を備えていてもよい。光触媒（70）は、発光面（61）に設けるのが好ましい。図１０の例では、発光面（61）の表面に薄膜（71）を介して光触媒（70）が担持される。光触媒（70）は、例えば二酸化チタンで構成される。光触媒（70）に紫外光が照射されると、光触媒（70）の酸化分解能力が促進され、殺菌効果を向上できる。
【００８３】
透光性部材（T）は、ドレンパン（41）の内部に露出する発光面（61）を有していれば、ドレンパン（41）のどの部分に設けてもよい。反射板（50）は、透光性部材（T）の発光面（61）と逆側の面（61a）に重ねられるのであれば、ドレンパン（41）のどの部分に設けてもよい。
【００８４】
上記形態のドレンパンユニット（40）は、壁掛け式の室内ユニット（30）に採用されている。ドレンパンユニット（40）は、天井設置式の室内ユニットに採用されてもよい。天井設置式の室内ユニットは、天井吊り下げ式の室内ユニット、及び天井埋め込み式の室内ユニットを含む。
【００８５】
ドレンパンユニット（40）は、室外ユニット（20）に採用されてもよい。
【００８６】
ドレンパンユニット（40）は、空気の加湿機能を有する空気調和装置に採用されてもよい。この場合、ドレンパンユニット（40）は、加湿エレメントなどの加湿器から排出された水を受ける。
【００８７】
以上、実施形態および変形例を説明したが、特許請求の範囲の趣旨および範囲から逸脱することなく、形態や詳細の多様な変更が可能なことが理解されるであろう。また、以上の実施形態、変形例、その他の実施形態は、本開示の対象の機能を損なわない限り、適宜組み合わせたり、置換したりしてもよい。以上に述べた「第１」、「第２」、「第３」…という記載は、これらの記載が付与された語句を区別するために用いられており、その語句の数や順序までも限定するものではない。
【産業上の利用可能性】
【００８８】
本開示は、ドレンパン、ドレンパンユニット、及び空気調和装置について有用である。
【符号の説明】
【００８９】
１      空気調和装置
３２      熱交換器（室内熱交換器）
４０      ドレンパンユニット
４１      ドレンパン
４２      底部
４２ａ    底面
５０      反射板
５１      ポンプ
６０      導光部材
６１      発光面
６１ａ    逆側の面
７０      光触媒
８０      光源
【図１】
2020134065.tif 000003
【図２】
2020134065.tif 000004
【図３】
2020134065.tif 000005
【図４】
2020134065.tif 000006
【図５】
2020134065.tif 000007
【図６】
2020134065.tif 000008
【図７】
2020134065.tif 000009
【図８】
2020134065.tif 000010
【図９】
2020134065.tif 000011
【図１０】
2020134065.tif 000012
【手続補正書】
【提出日】令和2年5月14日(2020.5.14)
【手続補正１】
【補正対象書類名】明細書
【補正対象項目名】全文
【補正方法】変更
【補正の内容】
【発明の詳細な説明】
【技術分野】
【０００１】
本開示は、ドレンパン、ドレンパンユニット、及び空気調和装置に関する。
【背景技術】
【０００２】
特許文献１には、ドレンパンを有する空気調和装置が開示されている。空気調和装置では、室内機の熱交換器の下方にドレンパンが配置される。熱交換器付近で発生した凝縮水はドレンパンに受けられる。
【先行技術文献】
【特許文献】
【０００３】
【特許文献１】特開２０１３−１６０４３８号公報
【発明の概要】
【発明が解決しようとする課題】
【０００４】
ドレンパンの内部では、カビや微生物などの菌が繁殖し易い。このため、ドレンパンの内部が汚れてしまうという問題がある。
【０００５】
本開示は、ドレンパンの内部の菌の繁殖を抑制することである。
【課題を解決するための手段】
【０００６】
第１の態様は、水を受けるドレンパンであって、前記ドレンパン（41）の少なくとも一部を構成し、光源（80）が発する紫外光が透過する透光性部材（T）を備え、前記透光性部材（T）は、前記ドレンパン（41）の内部に露出するとともに該透光性部材（T）を透過した紫外光が発せられる発光面（61）を有することを特徴とするドレンパンである。
【０００７】
第１の態様では、光源（80）から発せられた紫外光が透光性部材（T）を透過する。紫外光は、透光性部材（T）の発光面（61）からドレンパン（41）の内部に照射される。
【０００８】
第２の態様は、第１の態様において、前記透光性部材（T）は、前記ドレンパン（41）の底部（42）に設けられ、前記透光性部材（T）の発光面（61）は、前記ドレンパン（41）の底面（42a）を構成していることを特徴とするドレンパンである。
【０００９】
第２の態様では、透光性部材（T）を透過した紫外光が、ドレンパン（41）の底面（42a）である発光面（61）からドレンパン（41）の内部に照射される。
【００１０】
第３の態様は、第１又は第２の態様のいずれか１つにおいて、前記ドレンパン（41）の内部に露出する光触媒（70）を備えていることを特徴とするドレンパンである。
【００１１】
第３の態様では、ドレンパン（41）の内部に照射された紫外光によって、光触媒（70）の酸化分解作用が促進される。
【００１２】
第４の態様は、第３の態様において、前記光触媒（70）は、前記発光面（61）に設けられることを特徴とするドレンパンである。
【００１３】
第４の態様では、光触媒（70）に紫外光が直接的に当たりやすくなる。
【００１４】
第５の態様は、第１乃至４の態様のいずれか１つにおいて、前記透光性部材（T）は、石英、又は透光性を有する樹脂材料で構成されることを特徴とするドレンパンである。
【００１５】
第６の態様は、ドレンパンユニットであって、第１乃至第５のいずれか１つの態様のドレンパン（41）と、前記ドレンパン（41）の透光性部材（T）を透過する紫外光を発する光源（80）とを備えたドレンパンユニットである。
【００１６】
第７の態様は、第６の態様において、前記光源（80）は、前記透光性部材（T）の側方に配置され、前記透光性部材（T）は、前記ドレンパン（41）の底部（42）に設けられ、前記透光性部材（T）は、該透光性部材（T）の側方から入射した紫外光を前記発光面（61）側に導く導光部材（60）であることを特徴とするドレンパンユニットである。
【００１７】
第７の態様では、透光性部材（T）の側方から入射された紫外光が、導光部材（60）によって発光面（61）に導かれる。
【００１８】
第８の態様は、第７の態様において、前記導光部材（60）における前記発光面（61）と逆側の面（61a）に重なるように配置され、紫外光を反射する反射板（50）を備えていることを特徴とするドレンパンユニットである。
【００１９】
第８の態様は、導光部材（60）の内部を透過する紫外光が、導光部材（60）の逆側の面（61a）から漏れることを反射板（50）によって抑制できる。反射板（50）によって反射された紫外光を発光面（61）側に導くことができる。
【００２０】
第９の態様は、第８の態様において、前記反射板（50）は、前記ドレンパン（41）を兼用していることを特徴とするドレンパンユニットである。
【００２１】
第１０の態様は、第６の態様において、前記透光性部材（T）は、前記ドレンパン（41）の底部（42）に設けられ、前記光源（80）は、前記ドレンパン（41）の底部（42）の内部、又は該底部（42）の裏側に配置されることを特徴とするドレンパンユニットである。
【００２２】
第１０の態様では、ドレンパン（41）の内部、又はドレンパン（41）の底部（42）の裏側の光源（80）から発せられた紫外光が、透光性部材（T）を透過し、発光面（61）からドレンパン（41）の内部に照射される。
【００２３】
第１１の態様は、第６乃至第１０の態様のいずれか１つにおいて、前記ドレンパン（41）内の水を吸引するポンプ（51）を備え、前記透光性部材（T）の発光面（61）は、前記ポンプ（51）に対向していることを特徴とするドレンパンユニットである。
【００２４】
第１１の態様では、ポンプ（51）に紫外光が照射されることで、ポンプ（51）の周囲の殺菌が促進される。
【００２５】
第１２の態様は、第６の態様において、前記光源（80）は、前記透光性部材（T）の外部に配置されることを特徴とするドレンパンユニットである。
【００２６】
第１３の態様は、第７の態様において、前記導光部材（60）における前記発光面（61）と逆側の面（61a）には、凹凸が形成されていることを特徴とするドレンパンユニットである。
【００２７】
第１４の態様は、熱交換器（32）と、前記熱交換器（32）で凝縮した水を受けるドレンパンユニット（40）とを備えた空気調和装置であって、前記ドレンパンユニット（40）が、第６乃至第１３の態様のいずれか１つのドレンパンユニット（40）であることを特徴とする空気調和装置である。
【図面の簡単な説明】
【００２８】
【図１】図１は、実施形態に係る空気調和装置の概略構成を示す配管系統図である。
【図２】図２は、実施形態に係るドレンパンユニットの概略構成を示す縦断面図である。
【図３】図３は、実施形態に係るドレンパンユニットの概略構成を示す平面図である。
【図４】図４は、実施形態に係るドレンパンユニットの透光性部材を拡大し、模式的に表した縦断面図である。
【図５】図５は、変形例１に係るドレンパンユニットの概略構成を示す縦断面図である。
【図６】図６は、変形例２に係るドレンパンユニットの概略構成を示す縦断面図である。
【図７】図７は、変形例３に係るドレンパンユニットの概略構成を示す縦断面図である。
【図８】図８は、変形例４に係るドレンパンユニットの概略構成を示す縦断面図である。
【図９】図９は、変形例４に係るドレンパンユニットの概略構成を示す縦断面図である。
【図１０】図１０は、その他の実施形態に係るドレンパンユニットの透光性部材を拡大し、模式的に表した縦断面図である。
【発明を実施するための形態】
【００２９】
以下、本開示の実施形態について図面を参照しながら説明する。なお、以下の実施形態は、本質的に好ましい例示であって、本発明、その適用物、あるいはその用途の範囲を制限することを意図するものではない。
【００３０】
本開示のドレンパン（41）は、ドレンパンユニット（40）に備えられる。ドレンパンユニット（40）は、空気調和装置（1）に適用される。
【００３１】
〈空気調和装置の構成〉
図１に模式的に示すように、空気調和装置（1）は、１つの室外ユニット（20）と１つの室内ユニット（30）とを有する、いわゆるペア式である。室外ユニット（20）は、室外に設置される。室内ユニット（30）は、室内に設置される。室内ユニット（30）は、例えば壁面に取り付けられる壁掛け式である。
【００３２】
空気調和装置（1）は、冷媒回路（10）を備える。冷媒回路（10）では、充填された冷媒が循環することで冷凍サイクルが行われる。冷媒回路（10）は、室外回路（21）と室内回路（31）とを含む。室外回路（21）と室内回路（31）とは、２本の連絡配管（11,12）を介して互いに接続される。
【００３３】
室外回路（21）は、圧縮機（22）と、室外熱交換器（23）と、膨張弁（24）と、四方切換弁（25）とを有する。圧縮機（22）は、吸入した冷媒を圧縮し、圧縮した冷媒を吐出する。室外熱交換器（23）は、冷媒と室外空気とを熱交換させる。室外熱交換器（23）の近傍には、室外ファン（26）が設置される。室外ファン（26）は、室内空気をする。搬送された気は、室外熱交換器（23）を通過する。膨張弁（24）は、開度が可変な制御弁である。膨張弁（24）は、電子膨張弁で構成される。膨張弁（24）は、室内回路（31）の液ラインに接続してもよい。
【００３４】
四方切換弁（25）は、第１ポート（P1）、第２ポート（P2）、第３ポート（P3）、及び第４ポート（P4）を有する。第１ポート（P1）は、圧縮機（22）の吐出部と連通する。第２ポート（P2）は、ガス側の連絡配管（11）と連通する。第３ポート（P3）は、圧縮機（22）の吸入部と連通する。第４ポート（P4）は、室外熱交換器（23）のガス端部と連通する。四方切換弁（25）は、第１状態（図１の実線で示す状態）と、第２状態（図１の破線で示す状態）とに切り換わる。第１状態の四方切換弁（25）は、第１ポート（P1）と第４ポート（P4）とを連通させ且つ第２ポート（P2）と第３ポート（P3）とを連通させる。第２状態の四方切換弁（25）は、第１ポート（P1）と第２ポート（P2）とを連通させ且つ第３ポート（P3）と第４ポート（P4）とを連通させる。
【００３５】
室内回路（31）は、室内熱交換器（32）を有する。室内熱交換器（32）は、冷媒と室内空気とを熱交換させる。室内熱交換器（32）の近傍には、室内ファン（33）が設置される。室内ファン（33）は、室内空気を搬送する。搬送された室内空気は、室内熱交換器（32）を通過する。室内熱交換器（32）の下方には、ドレンパンユニット（40）が設けられる。
【００３６】
−運転動作−
空気調和装置（1）は冷房運転と暖房運転とを行う。
【００３７】
〈冷房運転〉
冷房運転では、四方切換弁（25）が第１状態となる。圧縮機（22）で圧縮された冷媒は、室外熱交換器（23）で放熱ないし凝縮する。放熱ないし凝縮した冷媒は、膨張弁（24）で減圧された後、室内熱交換器（32）を流れる。室内熱交換器（32）では、冷媒が室内空気から吸熱して蒸発する。室内熱交換器（32）で冷却された室内空気は、室内空間へ供給される。蒸発した冷媒は圧縮機（22）に吸入される。冷房運転では、室内熱交換器（32）付近では、凝縮水が発生する。凝縮水は、ドレンパン（41）の内部に受けられる。
【００３８】
〈暖房運転〉
暖房運転では、四方切換弁（25）が第２状態となる。圧縮機（22）で圧縮された冷媒は、室内熱交換器（32）を流れる。室内熱交換器（32）では、冷媒が室内空気に放熱して凝縮する。室内熱交換器（32）で加熱された室内空気は、室内空間へ供給される。凝縮した冷媒は、膨張弁（24）で減圧された後、室外熱交換器（23）で蒸発する。蒸発した冷媒は圧縮機（22）に吸入される。
【００３９】
〈ドレンパンユニット〉
空気調和装置（1）は、ドレンパンユニット（40）を備えている。本例のドレンパンユニット（40）は、室内熱交換器（32）の下方に配置される。図２及び図３に示すように、ドレンパンユニット（40）は、ドレンパン（41）と光源（80）とを備えている。本例の光源（80）は、ドレンパン（41）の側方に配置される。
【００４０】
ドレンパン（41）は、水を受けるトレーを構成している。ドレンパン（41）は、底壁（42）と４つの側壁（43A,43B,43C,43D）とを備えている。底壁（42）は、ドレンパン（41）の底部を構成する。底壁（42）は、横長の矩形状に形成される。４つの側壁（43A,43B,43C,43D）は、底壁（42）の周囲を囲むように配置される。各側壁（43A,43B,43C,43D）は、底壁（42）の周縁部から上方に延びている。第１側壁（43A）は、底壁（42）の長手方向の一方の側端に設けられる。第２側壁（43B）は、底壁（42）の長手方向の他端の側端に設けられる。第３側壁（43C）は、底壁（42）の幅方向の一方の側端に設けられる。第４側壁（43D）は、底壁（42）の幅方向の他方の側端に設けられる。これらの４つの側壁（43A,43B,43C,43D）は、平面視において矩形枠状に形成される。ドレンパン（41）の内部には、底壁（42）及び４つの側壁（43A,43B,43C,43D）の間に水受け用の内部空間（45）が形成される。内部空間（45）には、凝縮水が溜められる。
【００４１】
本例の底壁（42）は、反射板（50）と導光部材（60）とを含んでいる。反射板（50）と導光部材（60）とは、平面視において互いに等しい矩形状に形成される。反射板（50）は、導光部材（60）の下方に配置される。反射板（50）と導光部材（60）とは厚さ方向に重ねられる。換言すると、反射板（50）は、導光部材（60）における発光面（61）と逆側の面（61a）に重なっている。反射板（50）の厚みは、導光部材（60）の厚みよりも小さい。
【００４２】
反射板（50）は、例えばアルミニウムやステンレスなどの金属材料で構成される。反射板（50）は、少なくとも上側に反射面を有する。反射板（50）は、ドレンパン（41）の内部に向かって光を反射する材料であるのが好ましい。
【００４３】
導光部材（60）は、紫外光を透過する透光性部材（T）を構成している。本例の透光性部材（T）は、石英で構成される。透光性部材（T）は、透光性を有する樹脂材料であってもよい。透光性を有する樹脂材料としては、例えばアクリル系樹脂、シリコーン系樹脂、エポキシ樹脂などがある。
【００４４】
導光部材（60）の少なくとも一部は、ドレンパン（41）の内部空間（45）に露出している。換言すると、導光部材（60）には、ドレンパンの内部に露出する露出面が形成される。この露出面が、紫外光を発する発光面（61）を構成している。発光面（61）は、ドレンパン（41）の底面（42a）を構成している。
【００４５】
光源（80）は、紫外光を発する紫外光発生装置で構成される。本例の光源（80）は、ドレンパン（41）の外部に配置される。光源（80）は、ドレンパン（41）の導光部材（60）の側方であって、該導光部材（60）の近傍に配置される。具体的には、光源（80）は，導光部材（60）のうち第１側壁（43A）の下方に位置する部分に近接している。
【００４６】
図３に示すように、本例では、導光部材（60）の近傍に２つの光源（80）が配置される。光源（80）の数は、これに限らず１つ又は３つ以上であってもよい。複数の光源（80）は、等間隔置きに配列するのが好ましい。光源（80）は、導光部材（60）の内部に向かって紫外線を照射する。光源（80）から発する紫外光の照射方向は、導光部材（60）を向いている。
【００４７】
導光部材（60）は、入射した紫外光を所定方向に導く導光板を構成している。導光部材（60）は、入射した紫外光の方向を発光面（61）側に導く特性を有する。導光部材（60）の下面には、複数の凹部（62）及び複数の凸部（63）が配列されている。導光部材（60）の内部を側方に透過する紫外光は、凹部（62）及び凸部（63）において反射する。紫外光の反射により、ドレンパン（41）の内部へ向かう紫外光が生成される。加えて、導光部材（60）の下側に向かう紫外光は、反射板（50）によってドレンパン（41）の内部へ向かうように反射する。このようなドレンパン（41）の構成により、導光部材（60）の発光面（61）からドレンパン（41）の内部に向かって紫外光が発せられる。
【００４８】
−紫外光による浄化作用−
光源（80）がＯＮ状態になると、光源（80）から発生される紫外光は、導光部材（60）の内部を側方に透過する。この紫外光は、上述したように、凹部（62）、凸部（63）、及び反射板（50）によって向きが変えられ、ドレンパン（41）の底面（42a）に向かう。この紫外光は、導光部材（60）の発光面（61）からドレンパン（41）の内部へ照射される。換言すると、紫外光は、ドレンパン（41）の底面（42a）からドレンパン（41）の内部へ照射される。この結果、紫外光による殺菌作用により、ドレンパン（41）の内部での菌の繁殖が抑制される。
【００４９】
−実施形態の効果−
実施形態は、水を受けるドレンパン（41）であって、前記ドレンパン（41）の少なくとも一部を構成し、光源（80）が発する紫外光が透過する透光性部材（T）を備え、前記透光性部材（T）は、前記ドレンパン（41）の内部に露出するとともに該透光性部材（T）を透過した紫外光が発せられる発光面（61）を有する。
【００５０】
この形態により、光源（80）から発生される紫外光をドレンパン（41）の内部の発光面（61）から発することができる。ドレンパン（41）の内部に紫外光の発光面（61）を形成することで、発光面（61）における殺菌効果が高まり、発光面（61）におけるカビや微生物膜の発生を抑制できる。このため、例えばポンプや排水口などの詰まりを回避できるとともに、悪臭の発生も抑制できる。
【００５１】
実施形態は、透光性部材（T）は、前記ドレンパン（41）の底壁（42）に設けられ、前記透光性部材（T）の発光面（61）は、前記ドレンパン（41）の底面（42a）を構成している。
【００５２】
この形態により、ドレンパン（41）の底面（42a）から紫外線を発光させることができるため、ドレンパン（41）の底面（42a）における殺菌効果を向上できる。加えて、透光性部材（T）は、ドレンパン（41）の底壁（42）を兼用するため部品点数を削減できる。
【００５３】
実施形態は、前記光源（80）が前記透光性部材（T）の側方に配置され、前記透光性部材（T）は、該透光性部材（T）の側方から入射した紫外光を前記発光面（61）側に導く導光部材（60）である。
【００５４】
この形態により、光源（80）を導光部材（60）の側方に配置しながら、ドレンパン（41）の底面（42a）である発光面（61）から紫外光を照射できる。この光源（80）の配置により、光源（80）に凝縮水がかかることを回避できる。加えて、光源（80）の高さ方向の設置スペースを低減できる。
【００５５】
実施形態では、前記導光部材（60）における前記発光面（61）と逆側の面（61a）に重なるように配置され、紫外光を反射する反射板（50）を備えている。
【００５６】
この形態により、側方から導光部材（60）の内部を透過する紫外光が、導光部材（60）の下方に漏れてしまうことを抑制できる。加えて、導光部材（60）の下方に向かう紫外光を上方に反射させ、発光面（61）側に導くことができる。
【００５７】
−実施形態の変形例−
上記実施形態については、次のような変形例の構成としてもよい。
【００５８】
〈変形例１〉
図５に示すように、変形例１のドレンパン（41）は、ドレンパン本体（46）と、ドレンパン本体（46）の底に設置される導光部材（60）とを備えている。
【００５９】
ドレンパン本体（46）は、ステンレスやアルミニウムなどの金属材料で構成される。ドレンパン本体（46）は、上側に開放面が形成される皿状ないし扁平な箱状に形成される。ドレンパン本体（46）は、上記実施形態と同様、４つの側壁（43A,43B,43C,43D）を有している。
【００６０】
ドレンパン本体（46）には、反射板（50）を兼用する底板（47）が形成される。底板（47）の上面には導光部材（60）が重ねられる。底板（47）及び導光部材（60）は、ドレンパン（41）の底壁（42）（底部）を構成している。導光部材（60）の上面には、ドレンパン（41）の内部に露出する発光面（61）が形成される。
【００６１】
本例の光源（80）は、ドレンパン（41）の内部に設けられる。具体的には、光源（80）は、第１側壁（43A）の内部に埋設している。光源（80）は、導光部材（60）の側方に配置される。光源（80）は、導光部材（60）の側端に対向している。光源（80）は、導光部材（60）に向かって紫外光を照射する。導光部材（60）には、上記実施形態と同様、複数の凹部（62）及び複数の凸部（63）が形成される。
【００６２】
光源（80）から照射された紫外光は、導光部材（60）の内部を透過する。導光部材（60）の内部では、凹部（62）及び凸部（63）によって紫外光が反射される。加えて、紫外光は、底板（47）を兼用する反射板（50）によって反射される。反射された紫外光は、上方に向きを変え、発光面（61）からドレンパン（41）の内部に発せられる。この結果、ドレンパン（41）の内部が殺菌される。
【００６３】
変形例１では、ドレンパン（41）の一部である底板（47）が反射板（50）を兼用しているため、部品点数を削減できる。
【００６４】
〈変形例２〉
図６に示すように、変形例２のドレンパン（41）の底壁（42）には、下方に凹んだドレンパン凹部（48）が形成される。ドレンパン凹部（48）は、第１側壁（43A）の下部と、第５側壁（43E）と、凹部側底部（48）とを含んでいる。第５側壁（43E）は、第１壁（43A）に対向している。凹部側底部（48）は、ドレンパン凹部（62）の底部を構成している。第１側壁（43A）、第５側壁（43E）、及び凹部側底部（48）の間には、ポンプ（51）が収容される。ポンプ（51）は、ドレンパン（41）の内部の水を汲み上げる。
【００６５】
変形例２では、凹部側底部（48）に導光部材（60）及び反射板（50）が設けられる。反射板（50）は、導光部材（60）の下面に積層される。導光部材（60）は、ドレンパン（41）の内部に露出する発光面（61）を有する。発光面（61）は、ドレンパン（41）のドレンパン凹部（48）における底面（42a）を構成している。発光面（61）は、上方を向いている。発光面（61）は、ポンプ（51）に対向している。光源（80）は、ドレンパン（41）の外部であって、凹部側底部（48）の側方に配置される。光源（80）は、第１側壁（43A）に近接している。
【００６６】
変形例２では、光源（80）から照射された紫外光が、凹部側底部（48）の導光部材（60）の内部を透過する。この紫外光は、凹部（62）、凸部（63）、及び反射板（50）によって反射され、ドレンパン（41）の内部に向かう。この結果、凹部側底部（48）の底面（42a）（即ち、発光面（61））から紫外光が発せられる。発光面（61）から発せられた紫外光は、ドレンパン（41）の内部の殺菌などに利用される。
【００６７】
変形例２は、ドレンパン（41）内の水を吸引するポンプ（51）を備え、透光性部材（T）の発光面（61）は、前記ポンプ（51）に対向している。
【００６８】
この形態では、発光面（61）から発せられる紫外光をポンプ（51）に照射できるので、ポンプ（51）の周囲でのカビや微生物膜の繁殖を抑制できる。特に本形態では、発光面（61）がポンプ（51）の吸込口（51a）に対向しているため、吸込口（51a）の周囲でのカビや微生物膜の繁殖を抑制できる。これにより、ポンプ（51）の吸込口（51a）が詰まることを抑制できる。
【００６９】
〈変形例３〉
図７に示すように、変形例３のドレンパン（41）の底壁（42）には、ドレンパン凹部（48）が形成される。変形例３では、ドレンパン凹部（48）の第５側壁（43E）が透光性部材（T）で構成される。透光性部材（T）は、実施形態１や２のように、紫外光の方向を変更できなくてもよい。第５側壁（43E）の内側側面には、ドレンパン（41）の内部に露出する露出面が形成される。この露出面が発光面（61）を構成している。発光面（61）は、ポンプ（51）に対向している。
【００７０】
光源（80）は、ドレンパン（41）の外部であって、第５側壁（43E）の側方に配置される。光源（80）は、第５側壁（43E）に近接している。
【００７１】
変形例３では、光源（80）から照射された紫外光が、透光性部材（T）を厚さ方向に透過する。この結果、第５側壁（43E）の発光面（61）から紫外光が発せられる。発光面（61）から発せられた紫外光は、ドレンパン（41）の内部の殺菌等に利用される。加えて、紫外光は、ドレンパン（41）の周囲の殺菌等に利用される。
【００７２】
変形例３では、透光性部材（T）の厚さ方向の一方の面に発光面（61）を形成している。光源（80）は、透光性部材（T）の厚さ方向の他方の面に近接している。このため、透光性部材（T）を通過する紫外光の距離を最小限に抑えることができ、発光面（61）から発せられる紫外光の強度を増大できる。
【００７３】
〈変形例４〉
図８に示すように、変形例４では、ドレンパン（41）の底壁（42）が透光性部材（T）で構成される。透光性部材（T）は、紫外光の方向を変更できる導光部材でなくてもよい。透光性部材（T）の上面には、ドレンパン（41）の内部に露出する発光面（61）が形成される。
【００７４】
変形例４の光源（80）は、ドレンパン（41）の底壁（42）の裏側に配置される。具体的には、ドレンパン（41）は、ドレンパン（41）の外部であって、底壁（42）の下方に配置される。光源（80）は、底壁（42）に近接している。本例では、複数の光源（80）がドレンパン（41）の裏面に沿うように配列される。
【００７５】
光源（80）は、透光性部材（T）に向かって上方に紫外光を照射する。紫外光は、透光性部材（T）を厚さ方向に通過し、発光面（61）から上方に発せられる。この結果、ドレンパン（41）の内部が殺菌される。
【００７６】
変形例４では、透光性部材（T）がドレンパン（41）の底壁（42）を兼用している。このため、部品点数を削減できる。
【００７７】
変形例４では、透光性部材（T）の厚さ方向の一方の面（上面）に発光面（61）を形成している。光源（80）は、透光性部材（T）の厚さ方向の他方の面（下面）に近接している。このため、透光性部材（T）を通過する紫外光の距離を最小限に抑えることができ、発光面（61）から発せられる紫外光の強度を増大できる。
【００７８】
〈変形例５〉
図９に示すように、変形例５では、ドレンパン（41）の底壁（42）が透光性部材（T）で構成される。透光性部材（T）は、紫外光の方向を変更できる導光部材でなくてもよい。透光性部材（T）の上面には、ドレンパン（41）の内部に露出する発光面（61）が形成される。
【００７９】
変形例５の光源（80）は、ドレンパン（41）の底壁（42）の内部に配置される。換言すると、光源（80）は底壁（42）に埋設される。光源（80）は上方に裏側に配置される。光源（80）の照射方向は上方を向いている。
【００８０】
光源（80）は、透光性部材（T）に向かって上方に紫外光を照射する。紫外光は、透光性部材（T）を厚さ方向に通過し、発光面（61）から上方に発せられる。この結果、ドレンパン（41）の内部が殺菌される。本例では、複数の光源（80）がドレンパン（41）の裏面に沿うように配列される。
【００８１】
変形例５では、透光性部材（T）がドレンパン（41）の底壁（42）を兼用している。このため、部品点数を削減できる。
【００８２】
変形例５では、光源（80）から発光面（61）までの距離が比較的短いため、発光面（61）から発せられる紫外光の強度を増大できる。
【００８３】
《その他の実施形態》
上述した全ての形態においては、以下のような構成としてもよい。
【００８４】
図１０に示すように、ドレンパン（41）は、ドレンパン（41）の内部に露出する光触媒（70）を備えていてもよい。光触媒（70）は、発光面（61）に設けるのが好ましい。図１０の例では、発光面（61）の表面に薄膜（71）を介して光触媒（70）が担持される。光触媒（70）は、例えば二酸化チタンで構成される。光触媒（70）に紫外光が照射されると、光触媒（70）の酸化分解能力が促進され、殺菌効果を向上できる。
【００８５】
透光性部材（T）は、ドレンパン（41）の内部に露出する発光面（61）を有していれば、ドレンパン（41）のどの部分に設けてもよい。反射板（50）は、透光性部材（T）の発光面（61）と逆側の面（61a）に重ねられるのであれば、ドレンパン（41）のどの部分に設けてもよい。
【００８６】
上記形態のドレンパンユニット（40）は、壁掛け式の室内ユニット（30）に採用されている。ドレンパンユニット（40）は、天井設置式の室内ユニットに採用されてもよい。天井設置式の室内ユニットは、天井吊り下げ式の室内ユニット、及び天井埋め込み式の室内ユニットを含む。
【００８７】
ドレンパンユニット（40）は、室外ユニット（20）に採用されてもよい。
【００８８】
ドレンパンユニット（40）は、空気の加湿機能を有する空気調和装置に採用されてもよい。この場合、ドレンパンユニット（40）は、加湿エレメントなどの加湿器から排出された水を受ける。
【００８９】
以上、実施形態および変形例を説明したが、特許請求の範囲の趣旨および範囲から逸脱することなく、形態や詳細の多様な変更が可能なことが理解されるであろう。また、以上の実施形態、変形例、その他の実施形態は、本開示の対象の機能を損なわない限り、適宜組み合わせたり、置換したりしてもよい。以上に述べた「第１」、「第２」、「第３」…という記載は、これらの記載が付与された語句を区別するために用いられており、その語句の数や順序までも限定するものではない。
【産業上の利用可能性】
【００９０】
本開示は、ドレンパン、ドレンパンユニット、及び空気調和装置について有用である。
【符号の説明】
【００９１】
１      空気調和装置
３２      熱交換器（室内熱交換器）
４０      ドレンパンユニット
４１      ドレンパン
４２      底部
４２ａ    底面
５０      反射板
５１      ポンプ
６０      導光部材
６１      発光面
６１ａ    逆側の面
７０      光触媒
８０      光源
【手続補正２】
【補正対象書類名】特許請求の範囲
【補正対象項目名】全文
【補正方法】変更
【補正の内容】
【特許請求の範囲】
【請求項１】
水を受けるドレンパンであって、
前記ドレンパン（41）の少なくとも一部を構成し、光源（80）が発する紫外光が透過する透光性部材（T）を備え、
前記透光性部材（T）は、前記ドレンパン（41）の内部に露出するとともに該透光性部材（T）を透過した紫外光が発せられる発光面（61）を有することを特徴とするドレンパン。
【請求項２】
請求項１において、
前記透光性部材（T）は、前記ドレンパン（41）の底部（42）に設けられ、
前記透光性部材（T）の発光面（61）は、前記ドレンパン（41）の底面（42a）を構成していることを特徴とするドレンパン。
【請求項３】
請求項１又は２において、
前記ドレンパン（41）の内部に露出する光触媒（70）を備えていることを特徴とするドレンパン。
【請求項４】
請求項３において、
前記光触媒（70）は、前記発光面（61）に設けられることを特徴とするドレンパン。
【請求項５】
請求項１乃至４のいずれか１つにおいて、
前記透光性部材（T）は、石英、又は透光性を有する樹脂材料で構成されることを特徴とするドレンパン。
【請求項６】
ドレンパンユニットであって、
請求項１乃至５のいずれか１つに記載のドレンパン（41）と、
前記ドレンパン（41）の透光性部材（T）を透過する紫外光を発する光源（80）とを備えたドレンパンユニット。
【請求項７】
請求項６において、
前記光源（80）は、前記透光性部材（T）の側方に配置され、
前記透光性部材（T）は、前記ドレンパン（41）の底部（42）に設けられ、
前記透光性部材（T）は、該透光性部材（T）の側方から入射した紫外光を前記発光面（61）側に導く導光部材（60）であることを特徴とするドレンパンユニット。
【請求項８】
請求項７において、
前記導光部材（60）における前記発光面（61）と逆側の面（61a）に重なるように配置され、紫外光を反射する反射板（50）を備えていることを特徴とするドレンパンユニット。
【請求項９】
請求項８において、
前記反射板（50）は、前記ドレンパン（41）を兼用していることを特徴とするドレンパンユニット。
【請求項１０】
請求項６において、
前記透光性部材（T）は、前記ドレンパン（41）の底部（42）に設けられ、
前記光源（80）は、前記ドレンパン（41）の底部（42）の内部、又は該底部（42）の裏側に配置されることを特徴とするドレンパンユニット。
【請求項１１】
請求項６乃至１０のいずれか１つにおいて、
前記ドレンパン（41）内の水を吸引するポンプ（51）を備え、
前記透光性部材（T）の発光面（61）は、前記ポンプ（51）に対向していることを特徴とするドレンパンユニット。
【請求項１２】
請求項６において、
前記光源（80）は、前記透光性部材（T）の外部に配置されることを特徴とするドレンパンユニット。
【請求項１３】
請求項７において、
前記導光部材（60）における前記発光面（61）と逆側の面（61a）には、凹凸が形成されていることを特徴とするドレンパンユニット。
【請求項１４】
熱交換器（32）と、
前記熱交換器（32）で凝縮した水を受けるドレンパンユニット（40）とを備えた空気調和装置であって、
前記ドレンパンユニット（40）が、請求項６乃至１３のいずれか１つの記載のドレンパンユニット（40）であることを特徴とする空気調和装置。